(57)【要約】【課題】取付け姿勢が取付け面に対して安定した取付け姿勢を形成することができる吸盤及び吸盤付き空間改質媒体用容器を提供する点にある。【解決手段】椀状又はそれの類似形状に形成された吸盤本体５Ａの基端部に、物品１の吸盤取付け部１Ｂに連接穿孔された大径孔１ａ及び小径孔１ｂからなる雪達磨状の装着孔１Ａに対応する掛止軸部５Ｂが突設され、この掛止軸部５Ｂを大径孔１ａから小径孔１ｂへ位置替えして、物品を吊下げ状態で掛止保持する抜止め部５Ｃが掛止軸部５Ｂの先端部に設けられているとともに、前記掛止軸部５Ｂの基端側には、吸盤取付け部１Ｂの小径孔１ｂ周縁部分に接当する振れ止め座５Ｄが形成されている。【選択図】        図４
2004232802.tif 000002
【特許請求の範囲】
【請求項１】
椀状又はそれの類似形状に形成された吸盤本体の基端部に、物品の吸盤取付け部に連接穿孔された大径孔及び小径孔からなる雪達磨状の装着孔に対応する掛止軸部が突設され、この掛止軸部の先端には、吸盤取付け部の大径孔に対して孔軸芯方向から抜き差し自在で、かつ、差入れ状態のまま小径孔へ位置替えして、掛止軸部との協慟により吸盤取付け部を介して物品を吊下げ状態で掛止保持する抜止め部が設けられているとともに、前記掛止軸部の基端側には、吸盤取付け部の小径孔周縁部分に接当する振れ止め座が形成されている吸盤。
【請求項２】
前記振れ止め座の座面が、抜止め部の抜止め面よりも大なる面積に構成されている請求項１記載の吸盤。
【請求項３】
空間改質媒体を収納する容器本体には、吸盤の吸着本体部の基部に突設された掛止軸部が貫通状態で挿通可能な大小の孔を連通形成し、吸盤の掛止軸部の先端には、吸盤取付け部の大径孔に対して孔軸芯方向から抜き差し自在で、かつ、差入れ状態のまま小径孔へ移動させたとき、掛止軸部との協慟により容器の被取付け部を介して吊下げ状態で掛止保持する抜止め部が設けられている吸盤付き空間改質媒体用容器。
【請求項４】
前記掛止軸部の基端側には、吸盤取付け部の小径孔周縁部分に接当する振れ止め座が形成されている請求項３記載の吸盤付き空間改質媒体用容器。
【請求項５】
前記振れ止め座の座面が、抜止め部と吸盤取付け部の小径孔周縁部分との接当面よりも大なる面積に構成されている請求項４記載の吸盤付き空間改質媒体用容器。
【発明の詳細な説明】
【０００１】
【発明の属する技術分野】
本発明は、吸盤及び吸盤付き空間改質媒体用容器に関する。
【０００２】
【従来の技術】
一般に、木、金属、樹脂、タイル、ガラス等の板素材や面素材等のフラットな面が存在する構造物に対して、目的となる対象物を収納したり載置したりする物品容器を、吸盤を介して着脱自在にする吸盤を利用する商品は多く存在している。
一例を示せば、台所では調味料の受け台、洗面所や風呂場では、石鹸受け台やタオル掛け台等がよく知られている。
【０００３】
【発明が解決しようとする課題】
ところが、この種の吸盤を利用する商品は、図９に示すように、吸盤５０の基端の受け軸５０Ａを介して、物品容器１００を片持ち状態に支える構造になっているので、例えば、同図のように垂直な被取付け面Ｃに取付けられているような場合、物品容器１００が前傾姿勢状態になる構造的傾向があり、吸盤支持状態が不安定で、且つ、取付け状態が不体裁となるとともに、この傾向は、支える物品容器側の重量が重くなればなるほど顕著となり、吸盤５０が被取付け面から外れやすくなるので、前傾姿勢を意識させない重さの物品容器１００が吸盤５０に組み合わされている現状がある。
【０００４】
本発明は、上述の実状に鑑みて為されたものであって、その主たる課題は、取付け姿勢が取付け面に対して安定した取付け姿勢を形成することができる吸盤及び吸盤付き空間改質媒体用容器を提供する点にある。
【０００５】
【課題を解決するための手段】
本発明の請求項１による吸盤の特徴構成は、椀状又はそれの類似形状に形成された吸盤本体の基端部に、物品の吸盤取付け部に連接穿孔された大径孔及び小径孔からなる雪達磨状の装着孔に対応する掛止軸部が突設され、この掛止軸部の先端には、吸盤取付け部の大径孔に対して孔軸芯方向から抜き差し自在で、かつ、差入れ状態のまま小径孔へ位置替えして、掛止軸部との協慟により吸盤取付け部を介して物品を吊下げ状態で掛止保持する抜止め部が設けられているとともに、前記掛止軸部の基端側には、吸盤取付け部の小径孔周縁部分に接当する振れ止め座が形成されている点にある。
【０００６】
［作用］
上記特徴構成によれば、物品の吸盤取付け部に吸盤を取付けた状態で、被取付け面に対して吸盤を介して物品を着脱自在に取付けることができ、しかも、物品取付け状態では、振れ止め座と吸盤取付け部の小径孔周縁部分とが接当して、物品が吊下げ状態の支持がなされる。
【０００７】
［効果］
従って、吸盤に対して物品を安定した状態で支持することができるので、吸盤支持状態が不安定で、且つ、取付け状態が不体裁となる従来構造に比べて、均整の取れた物品吊下げ状態を形成することができ、この種吸盤の市場の拡大化を図ることができる。
また、既存の吸盤付きの物品の吸盤に本願の吸盤を用いることによって、吊下げ姿勢の改善を図ることができる。
【０００８】
本発明の請求項２による吸盤の特徴構成は、前記振れ止め座の座面が、抜止め部の抜止め面よりも大なる面積に構成されている点にある。
【０００９】
［作用］
上記特徴構成によれば、抜止め部を小さく振れ止め座を大きくする構成にすることによって、抜止め部が物品の収納面や使用面で邪魔にならない状態を形成しながら、使用上において邪魔にならない吸盤取付け部の小径孔周縁部分を振れ止め座の支持面に有効利用して、安定性のある容器の吊下げ姿勢を可能にするとともに、物品の重量を増やしても安定性のある吊下げ姿勢を支持することができる。
【００１０】
［効果］
従って、使い勝手が良く、支持機能の高い吸盤を形成することができ、しかも、既存のこの種製品の吸盤に用いることによって，  吊下げ姿勢の改善を可能にすることができる。
【００１１】
本発明の請求項３による吸盤付き空間改質媒体用容器の特徴構成は、空間改質媒体を収納する容器本体には、吸盤の吸着本体部の基部に突設された掛止軸部が貫通状態で挿通可能な大小の孔を連通形成し、吸盤の掛止軸部の先端には、吸盤取付け部の大径孔に対して孔軸芯方向から抜き差し自在で、かつ、差入れ状態のまま小径孔へ移動させたとき、掛止軸部との協慟により容器の被取付け部を介して吊下げ状態で掛止保持する抜止め部が設けられている点にある。
【００１２】
［作用］
上記特徴構成によれば、例えば、垂直面、水平な天面、傾斜面等の被取付け面に、空間改質媒体を収納する容器を吸盤によって、例えば、空気の流れや空間配置で最適な個所に簡単に取付けることができる。
【００１３】
［効果］
従って、現状において活用されていなかった取付け対象物の多様な面を被取付け面に活用して、空間改質媒体を収容した容器を最適な位置を選んで取付けることができるので、取付け対象物が保有する形成空間を有効利用することができる。
【００１４】
ここで、空間改質媒体とは、例えば、活性炭、竹炭、便長炭などの一種又はこれらが複合された白炭を顆粒化した脱臭剤、ナフタリン等の防虫剤、ゲル化材に香料を混練した芳香剤、湿気吸収剤等を意味する。
また、これら空間改質媒体は、容器内に直接に収納されていても、不織布、紙、布等から形成された通気性のある袋を用いて収納されていてもよい。
【００１５】
本発明の請求項４による吸盤付き空間改質媒体用容器の特徴構成は、前記掛止軸部の基端側には、吸盤取付け部の小径孔周縁部分に接当する振れ止め座が形成されている点にある。
【００１６】
［作用］
上記特徴構成によれば、容器を、振れ止め座を介して触れ止め状態に支持された吊下げ状態に掛止保持することができる。
【００１７】
［効果］
従って、被取付け面に対して容器を安定性のある取付け姿勢に長期に亘って掛止保持することができるので、この種製品の信頼性の向上を図ることができる。
【００１８】
本発明の請求項５による吸盤付き空間改質媒体用容器の特徴構成は、前記振れ止め座の座面が、抜止め部と吸盤取付け部の小径孔周縁部分との接当面よりも大なる面積に構成されている点にある。
【００１９】
［作用］
上記特徴構成によれば、抜止め部を小さく振れ止め座を大きくする構成にすることによって、抜止め部が容器内で邪魔になることを少なくする構造になっているとともに、容器使用において使用上で死角となっている容器部分である吸盤取付け部の小径孔周縁部分を振れ止め座によって支持して、被取付け面に取付けられた吸盤に対して容器を安定性のある取付け姿勢で掛止保持することができる。
また、振れ止め座が大きい分、容器側の重量を重く支えることができる。
【００２０】
［効果］
従って、容器側に配慮した吸盤取付け構造を構築して、完成度の高い吸盤使用製品を形成することができるので、この種吸盤使用製品の信頼性の向上を図ることができる。
また、吸盤のサイズを変更せずに容器側の増量化などを可能にするなど、用途の拡大化を可能にすることができる。
【００２１】
【発明の実施の形態】
〔実施形態〕
以下、本発明の吸盤及び吸盤付き空間改質剤用容器を適用した実施形態の一例である吸盤付き冷蔵庫用脱臭容器Ａを図１〜図８に示す図面に基づいて説明する。
【００２２】
この吸盤付き冷蔵庫用脱臭容器Ａは、図１、図３，図５，図８に示すように、正面と背面とに放射状に配列された多数のスリットａ・・・  が形成された吊下げ対象となる物品である容器本体１内に、空間改質媒体である脱臭剤２が袋３を介して収納されているとともに、容器本体１の背面側に、連接穿孔された大径孔１ａ及び小径孔１ｂからなる雪達磨状の装着孔１Ａを形成し、この装着孔１Ａを形成した吸盤取付け部１Ｂに対応して吸盤５が装着されている。
【００２３】
吸盤５は、軟質合成樹脂素材やゴム系素材を一体形成して製作され、図６，図７に示すように、椀状に形成された吸盤本体５Ａの基端部に、容器本体１の吸盤取付け部１Ｂの装着孔１Ａに対応する断面円形状の掛止軸部５Ｂが突設され、この掛止軸部５Ｂの先端には、図８に示すように、吸盤取付け部１Ｂの大径孔１ａに対して孔軸芯方向から抜き差し自在で、かつ、差入れ状態のまま小径孔１ｂへ移動させたとき、掛止軸部５Ｂとの協慟により吸盤取付け部１Ｂを介して容器本体１を吊下げ状態で掛止保持する円盤状の抜止め部５Ｃが設けられているとともに、前記掛止軸部５Ｂの基端側には、吸盤取付け部１Ｂの小径孔１ｂ周縁部分に接当する振れ止め座５Ｄが吸盤本体５Ａに対して肉盛形成されている。
【００２４】
前記振れ止め座５Ｄの座面５Ｄａが、抜止め部５Ｃと吸盤取付け部１Ｂの小径孔１ｂ周縁部分との接当面よりも大なる面積に構成され、この実施形態では、座面形状が掛止軸部５Ｂを中心とする円形状に形成されているとともに、掛止軸部５Ｂと直交する面が座面５Ｄａとなる構造になっている。ここで、座面５Ｄａとしては、振れ止め座５Ｄが対向する容器本体１の吸盤取付け部１Ｂ部分の湾曲面形状に対応する面形状であってもよい。
【００２５】
前記脱臭剤２は、この実施形態においては、竹炭を顆粒状にしたものが用いられ、この脱臭剤２を収容する袋３は、通気性のある不織布から形成されている。ここで、この実施形態では、脱臭剤に竹炭を用いているが、この他にも、活性炭や便長炭等の白炭を単独又は複合して脱臭剤に用いてもよい。
【００２６】
前記容器本体１は、合成樹脂によって一体形成され、図３に示すように、背面に吸盤５が装着される一面開口で椀状の受台側容器１０に対して、一面開口で椀状の蓋側容器２０が嵌合手段を介して着脱自在に嵌め合わされて、正面視が円形で側面視が略楕円状で尚且つ内部が略円盤状の収納空間４を形成して、袋３入り脱臭剤２を収納可能にする構造になっている。
【００２７】
容器本体１の嵌合手段Ｂは、図３，図４に示すように、受台側容器１０の開口端の全周に亘って係止環１０Ａが一体的に突出形成され、この係止環１０Ａに対応する係止受け２０Ａが、蓋側容器２０の開口縁に沿う内周面に凹設され、受台側容器１０の係止環１０Ａを蓋側容器２０の係止受け２０Ａに係合して両者を嵌合することによって容器本体１に組立て可能になっている。
【００２８】
このような構成にすることによって、受台側容器１０に吸盤５を取付け、この吸盤５付き受台側容器１０と蓋側容器２０と間に袋３入り脱臭剤２を収納して、両容器部材１０，２０を嵌合して吸盤付き冷蔵庫用脱臭容器Ａを形成することができる。
【００２９】
受台側容器１０に対して吸盤５は、受台側容器１０の吸盤取付け部１Ｂの大径孔１あに、吸盤５の抜止め部５Ｃを差入れてから、この差入れ状態のまま掛止軸部５Ｂを小径孔１ｂへ位置替えして、掛止軸部５Ｂを介して連結された抜止め部５Ｃと振れ止め座５Ｄとの対面間に小径孔１ｂ周縁部分を接当状態で挟み込むことによって組付けられ、この組付け状態では、吸盤５に対して容器本体１が振れ止め座５Ｄで触れ止め状態に拘束されるようになっている。
【００３０】
この吸盤付き冷蔵庫用脱臭容器Ａは、主に、家庭用の冷蔵庫における、例えば、保冷庫内の適宜の内壁（側壁、背壁、天井壁）面や、野菜室のバケットの壁面等の被取付け面Ｃに吸盤を押付け吸着して使用される。この実施形態の振れ止め座５Ｄの座面５Ｄａ形状が、掛止軸部５Ｂを中心とする円形状に形成されているので、触れ止めに対する支持長さが何れの放射位置でも同じになり、例えば、側壁に取付けられた吸盤に対して、容器本体１と収納された袋３入り脱臭剤２の重さによって，容器本体１が前傾姿勢になろうとすることや、天井壁に取付けられて吸盤５を中心にして容器本体１が揺動するようなことを阻止して、安定性のある容器支持姿勢を形成することができる。
【００３１】
また、被取付け面Ｃが、側壁、天井壁、底壁、傾斜壁の何れであっても同様の支持機能を形成することができるので、信頼の高い吸盤付き容器を形成することができる。
【００３２】
このような構成の吸盤付き冷蔵庫用脱臭容器Ａにおいては、例えば、冷気が循環する経路に対応する位置や、保管物が存在してもあまり邪魔にならないような天井奥面等、従来の載置タイプの箱型脱臭容器などで利用されていなかったような個所に取付けることができる。
【００３３】
また、容器取付けに吸盤５を用いているので、取外しや取付け位置の変更等が容易に実施することが可能である。
【００３４】
〔その他の実施形態〕
１）  上記実施形態の吸盤付き冷蔵庫用脱臭容器Ａにおいては、容器本体１に対して１個の吸盤５を用いて被取付け面Ｃに取付ける例を説明したが、本発明はこれに限らず、吸盤５のサイズが同じならば、容器本体１やこれに収納される脱臭剤２の容積や重量の増大に対応して、上記実施形態と同様の取付け構造を利用して、複数個の吸盤を用いるものであってもよい。
【００３５】
２）  上記実施形態の吸盤付き冷蔵庫用脱臭容器Ａにおいては、受台側容器１０に対して蓋側容器２０が着脱自在に組付けられた構造のもについて説明したが、これに限らず、受台側容器１０に対して蓋側容器２０が、袋３入り脱臭剤２を収容した後に、溶着手段や接着剤手段を用いて両型容器１０，２０を固着する構造のものであってもよい。
【００３６】
３）  上記実施形態の吸盤付き冷蔵庫用脱臭容器Ａにおいては、吸盤５の振れ止め座５Ｄの座面５Ｄａ形状が円形状のものについて説明したが、本発明はこれに限らず、方形、多角形、楕円形状のものであってもよい。
例えば、振れ止め座５Ｄの座面５Ｄａ形状が楕円形状である場合、冷蔵庫の側壁に取付け使用する際に、楕円の長径側を上下方向に沿わせて吸盤５を取付けることによって、容器本体１が上下方向の振れ止め座５Ｄに長く対応する状態が形成されるので、容器本体１が前傾姿勢になることに対して強力に阻止する構造を形成することができる。
【図面の簡単な説明】
【図１】吸盤付き冷蔵庫用脱臭容器（吸盤付き空間改質媒体用容器）を被取付け面に取付けた状態を示す側断面図
【図２】吸盤取付け部と吸盤と被取付け面との関係を取付け状態の要部拡大断面図
【図３】吸盤付き冷蔵庫用脱臭容器の正面図
【図４】吸盤の平断面図
【図５】吸盤の背面図
【図６】吸盤付き冷蔵庫用脱臭容器の分解側断面図
【図７】吸盤付き冷蔵庫用脱臭容器の側断面図
【図８】容器本体と吸盤との取付け関係を示す背面図
【図９】従来の吸盤付き製品を示す説明図
【符号の説明】
Ａ            吸盤付き冷蔵庫用脱臭容器（吸盤付き空間改質媒体用容器）
１            容器本体
１Ａ          装着孔
１Ｂ          吸盤取付け部
１ａ          大径孔
１ｂ          小径孔
２            脱臭剤（空間改質媒体）
５            吸盤
５Ａ          吸盤本体
５Ｂ          掛止軸部
５Ｃ          抜止め部
５Ｄ          振れ止め座
５Ｄａ        座面
【図１】
2004232802.tif 000003
【図２】
2004232802.tif 000004
【図３】
2004232802.tif 000005
【図４】
2004232802.tif 000006
【図５】
2004232802.tif 000007
【図６】
2004232802.tif 000008
【図７】
2004232802.tif 000009
【図８】
2004232802.tif 000010
【図９】
2004232802.tif 000011